(57)【要約】【課題】氷詰めで輸送される魚介類等の鮮度保持容器に制水機能を付与し、流通中に発生する氷の溶解水や汚水を流通実態に合わせ通常排水や水封排水や止水をすることにより鮮度保持や衛生、美化面やマテハンや氷の削減等の課題を解決する発泡合成樹脂容器を提供する。【解決手段】発泡合成樹脂容器に通常排水や水封排水や止水の制水操作が可能な止水栓を止水栓取付穴の発泡体の弾性力及び／又は止水栓取付穴のアンダーカット構造で保持固定させることを特徴とする制水機能を付与した発泡合成樹脂容器。【選択図】　　　　図１
2004042983.tif 000002
【特許請求の範囲】
【請求項１】
発泡体にて形成された容器本体と該容器本体の下部に内部から外部に貫通させて形成された止水栓取付穴と、該止水栓取付穴に嵌挿されて当該止水栓取付穴を封止し制水する止水栓とを備え、該止水栓が容器本体の外周面から突出しない構造で、容器本体を形成する発泡体の弾性力及び／又は当該止水栓取付穴を形成するアンダーカット構造により保持固定されるように構成したことを特徴とする制水機能を付与した発泡合成樹脂容器。
【請求項２】
制水機能が通常排水機能と止水機能により構成されることを特徴とする請求項１に記載の制水機能を付与した発泡合成樹脂容器。
【請求項３】
制水機能が水封排水機能と止水機能により構成されることを特徴とする請求項１に記載の制水機能を付与した発泡合成樹脂容器。
【請求項４】
止水栓取付穴が容器本体の底壁面を内底面から外底面に貫通させて形成されることによってなされることを特徴とする請求項１〜３に記載の制水機能を付与した発泡合成樹脂容器。
【請求項５】
止水栓取付穴が、容器本体の側壁面の下部を容器内部から容器外側面に貫通さて形成されることによってなされることを特徴とする請求項１〜３に記載の制水機能を付与した発泡合成樹脂容器。
【請求項６】
止水栓取付穴が容器本体の側壁面を縦断して形成される竪穴排水口と容器内部とを連通させる構造で形成されることによってなされることを特徴とする請求項１〜３に記載の制水機能を付与した発泡合成樹脂容器。
【請求項７】
止水栓取付穴が発泡合成樹脂容器の成型用金型に設けられた成型離型方向に対しアンダーカット形状の成型駒により形成されることを特徴とする請求項１〜６のいずれか１項に記載の制水機能を付与した発泡合成樹脂容器。
【請求項８】
止水栓が止水栓インナーと止水栓取付穴を止水栓アウターケースとする構成でなされることを特徴とする請求項１〜７のいずれか１項に記載の制水機能を付与した発泡合成樹脂容器。
【請求項９】
止水栓が止水栓インナーと止水栓アウターケースで構成され止水栓取付穴に嵌挿保持されることを特徴とする請求項１〜７のいずれか１項に記載の制水機能を付与した発泡合成樹脂容器。
【請求項１０】
止水栓が水平構造であることを特徴とする請求項１〜９のいずれか１項に記載の制水機能を付与した発泡合成樹脂容器。
【請求項１１】
止水栓が垂直構造であることを特徴とする請求項１〜９のいずれか１項に記載の制水機能を付与した発泡合成樹脂容器。
【請求項１２】
止水栓が球体構造であることを特徴とする請求項１〜９のいずれか１項に記載の制水機能を付与した発泡合成樹脂容器。
【請求項１３】
止水栓がネジ構造であることを特徴とする請求項１〜９のいずれか１項に記載の制水機能を付与した発泡合成樹脂容器。
【請求項１４】
止水栓が盲栓着脱構造であることを特徴とする請求項１〜９のいずれか１項に記載の制水機能を付与した発泡合成樹脂容器。
【請求項１５】
止水栓が水封排水構造であることを特徴とする請求項１〜１４のいずれか１項に記載の制水機能を付与した発泡合成樹脂容器。
【請求項１６】
止水栓が弾性体であることを特徴とする請求項１〜１５のいずれか１項に記載の制水機能を付与した発泡合成樹脂容器。
【請求項１７】
止水栓が中空の筒状体を展折させることにより形成させることを特徴とする請求項１、２、４、５、７のいずれか１項に記載の制水機能を付与した発泡合成樹脂容器。
【請求項１８】
水封排水の止水栓が中空の筒状体の容器内部の開口部と容器外部の開口部の底面からの高さレベル差により構成されることを特徴とする請求項１、３、４、５、７、１５、１７のいずれか１項に記載の制水機能を付与した発泡合成樹脂容器。
【請求項１９】
止水栓の制水操作が容器本体の積荷状態で容器本体の外周側面から行うことを特徴とする請求項１〜１８のいずれか１項に記載の制水機能を付与した発泡合成樹脂容器。
【請求項２０】
止水栓の摺動部や止水栓取付穴の内接面に漏水防止用の凹凸を設けたことを特徴とする請求項１〜２０のいずれか１項に記載の制水機能を付与した発泡合成樹脂容器。
【請求項２１】
止水栓の摺動部に漏水防止剤を塗布することを特徴とする請求項１〜２０のいずれか１項に記載の制水機能を付与した発泡合成樹脂容器
【請求項２２】
発泡体にて形成された容器本体と上部を容器本体の外周面に連通開口させた吸引口と下方を容器本体の内底面の排水溜り部に連通する構造で容器本体の側壁を貫通して形成される中空穴、又は、中空の筒状体を容器本体の側壁内面に立設保持して形成される中空穴によってなされることを特徴とする制水機能を付与した発泡合成樹脂容器。
【請求項２３】
容器本体の上部に少なくとも一個の空気注入口を設け強制排水を行うことを特徴とする請求項１〜２２のいずれか１項に記載の制水機能を付与した発泡合成樹脂容器。
【発明の詳細な説明】
【０００１】
【発明の属する技術分野】
本発明は、発泡合成樹脂容器に関し、さらに詳しくは生鮮食料品等の鮮度保持輸送容器中の氷の溶解水や汚水等を排水口から常時垂れ流すことなく流通上の必要時に通常排水や水封排水や止水を可能とする制水機能を付与した発泡合成樹脂容器に関する。
【０００２】
【従来の技術】
従来、この種の容器としては、排水穴付の発泡スチロール魚箱のように予め容器底面に排水口を設け、溶解水や汚水等を辺り構わず常時垂れ流し、排水口から冷気の流出や外気の流入もなすがままに輸送されている通常排水型容器がある。この種の別の容器では排水口から冷気の流出や外気の流入を軽減させるため容器本体の側壁に竪穴排水口を設け積荷した複数個の容器の排水を竪穴排水口に集合させ垂れ流す竪穴排水容器や、冷気の流出や外気の流入を防止するため排水口に連通する排水溜り部の排水中に冷気遮断用の水封堰を水没させる構造の水封排水容器（実開平６−１４０５７等）等がある。
【０００３】
図１５（ａ）に示す発泡スチロール魚箱は蓋付容器で底面に排水口が開口している通常排水型容器である。図１５（ｂ）に示す発泡スチロール魚箱は蓋無の通常排水型容器である。図１６（ａ）に示す発泡スチロール魚箱は魚箱の側壁を縦断する竪穴排水口が設けられた竪穴排水魚箱である。図１６（ｂ）に示す発泡スチロール魚箱は竪穴排水と水封排水を組み合わせた竪穴水封排水魚箱である。
【０００４】
一方、釣りやレジャー用クーラーボックス等、予め容器側壁にコックや止水栓を設けている容器がある。この種の別の技術として、魚箱等の側壁に貫通穴を開けコックや盲栓を設ける方法（実願平１−６３６１７等）が提案されている。又、図１７に示す水氷輸送箱や活魚箱等は排水穴を設けず溶解水や汚水や汚物を容器内に溜めたまま輸送し着荷時や商品完売時に開函、転倒排水させている。又、氷の溶解水の発生そのものを避ける方法として蓄冷剤や小分け氷袋を用いる方法が宅配便や手提げ土産箱や夕食材通箱等で採用されている。
【０００５】
【発明が解決しようとする課題】
しかし乍ら、予め排水穴を設け溶解水や汚水を常時垂れ流す通常排水型容器は輸送車や冷蔵倉庫や店舗や他商品や荷扱者等を汚染し衛生面や美観や作業性を損ねている。又、常時開口している排水口からの冷気流出や暖気流入で鮮度が低下し氷が解け易く大量の氷を消費する。又、何段も積荷されているため排水は下段の容器に順次滴下し商品を汚染し鮮度低下と氷の溶解を加速する。
【０００６】
冷気流出や外気流入を軽減させる竪穴排水容器は、汚水を常時垂れ流す欠陥は解決されず、さらに本容器の欠点は積荷の最下段の容器や消費地では容器単体毎の保管取扱や店頭展示されるため竪穴排水の効果は無く通常排水型容器と同等の欠陥を呈する。又、冷気流出や外気流入を防止する水封排水容器は、溶解水や汚水を常時垂れ流す欠陥は解決されていない。
【０００７】
釣り用やレジャー用クーラーボックスや魚箱等の側壁に止水コックや盲栓を設けている容器は、止水栓の構造が止水栓インナーと止水栓アウターケースで構成され容器下方の側壁の貫通穴に接着剤やパッキン付き締付けネジで装着固定する等コスト高となっている。又、通常排水と止水はできるが水封排水機能は無い。さらに、止水栓取付穴の成形は金型に容器側壁を貫通させる取付穴形成シリンダーが必要で成型取り数が減り成形コスト高や金型コスト高を招く。さらに、コックや盲栓が容器側壁から突出するため輸送才数の増加や止水栓の打痕故障が起こり高価な容器や特殊用途以外では採用されていない。
【０００８】
又、排水穴を設けず容器内に汚水や廃液を溜める容器は、輸送中の重量負荷や作業負荷が大きく溶解水や汚水で商品が再汚染し鮮度低下する欠点や着荷時に開函、転倒排水の重労働を伴う。又、蓄冷剤や氷袋の氷はコスト高で蓄冷能力や鮮度保持能力が劣り着荷後の蓄冷剤や氷袋の廃棄問題が発生する等の欠点がある。
【０００９】
本発明は、上記従来技術の問題点を解消し、安価でかつ容易に鮮度低下の防止や氷使用量の削減や衛生、美観面や作業性の欠点が解決される制水機能を付与した発泡合成樹脂容器を提供するものである。
【００１０】
【課題を解決するための手段】
本発明者らは、かかる実情に鑑み鋭意研究の結果、容器本体の下部に発泡体の弾性力やアンダーカット構造を付与した止水栓取付穴に容器本体の外周面から突出しない構造で容器の外側面から通常排水や水封排水や止水の制水操作ができる止水栓を形成させることにより、所期の目的が達成されることを見出し、本発明を完成した。
【００１１】
即ち、本発明の請求項１は、発泡体にて形成された容器本体と該容器本体の下部に内部から外部に貫通させて形成された止水栓取付穴と、該止水栓取付穴に嵌挿されて当該止水栓取付穴を封止し制水する止水栓とを備え、該止水栓が容器本体の外周面から突出しない構造で、容器本体を形成する発泡体の弾性力及び／又は当該止水栓取付穴を形成するアンダーカット構造で保持固定されるように構成したことを特徴とする制水機能を付与した発泡合成樹脂容器を内容とする。
【００１２】
本発明の請求項２は、制水機能が通常排水機能と止水機能により構成されることを特徴とする請求項１に記載の制水機能を付与した発泡合成樹脂容器を内容とする。
【００１３】
本発明の請求項３は、制水機能が水封排水機能と止水機能により構成されることを特徴とする請求項１に記載の制水機能を付与した発泡合成樹脂容器を内容とする。
【００１４】
本発明の請求項４は、止水栓取付穴が容器本体の底壁面を内底面から外底面に貫通させて形成されることによってなされることを特徴とする請求項１〜３に記載の制水機能を付与した発泡合成樹脂容器を内容とする。
【００１５】
本発明の請求項５は、止水栓取付穴が、容器本体の側壁面の下部を容器内部から容器外側面に貫通さて形成されることによってなされることを特徴とする請求項１〜３に記載の制水機能を付与した発泡合成樹脂容器を内容とする。
【００１６】
本発明の請求項６は、止水栓取付穴が容器本体の側壁面を縦断して形成される竪穴型排水口と容器内部とを連通させる構造で形成されることによってなされることを特徴とする請求項１〜３に記載の制水機能を付与した発泡合成樹脂容器を内容とする。
【００１７】
本発明の請求項７は、止水栓取付穴が発泡合成樹脂容器の成型用金型に設けられた成型離型方向に対しアンダーカット形状の成型駒により形成されることを特徴とする請求項１〜６のいずれか１項に記載の制水機能を付与した発泡合成樹脂容器を内容とする。
【００１８】
本発明の請求項８は、止水栓が止水栓インナーと止水栓取付穴を止水栓アウターケースとする構成でなされることを特徴とする請求項１〜７のいずれか１項に記載の制水機能を付与した発泡合成樹脂容器を内容とする。
【００１９】
本発明の請求項９は、止水栓が止水栓インナーと止水栓アウターケースで構成され止水栓取付穴に嵌挿保持されることを特徴とする請求項１〜７のいずれか１項に記載の制水機能を付与した発泡合成樹脂容器を内容とする。
【００２０】
本発明の請求項１０は、止水栓が水平構造であることを特徴とする請求項１〜９のいずれか１項に記載の制水機能を付与した発泡合成樹脂容器を内容とする。
【００２１】
本発明の請求項１１は、止水栓が垂直構造であることを特徴とする請求項１〜９のいずれか１項に記載の制水機能を付与した発泡合成樹脂容器を内容とする。
【００２２】
本発明の請求項１２は、止水栓が球体構造であることを特徴とする請求項１〜９のいずれか１項に記載の制水機能を付与した発泡合成樹脂容器を内容とする。
【００２３】
本発明の請求項１３は、止水栓がネジ構造であることを特徴とする請求項１〜９のいずれか１項に記載の制水機能を付与した発泡合成樹脂容器を内容とする。
【００２４】
本発明の請求項１４は、止水栓が盲栓着脱構造であることを特徴とする請求項１〜９のいずれか１項に記載の制水機能を付与した発泡合成樹脂容器を内容とする。
【００２５】
本発明の請求項１５は、止水栓が水封排水構造であることを特徴とする請求項１〜１４のいずれか１項に記載の制水機能を付与した発泡合成樹脂容器を内容とする。
【００２６】
本発明の請求項１６は、止水栓が弾性体であることを特徴とする請求項１〜１５のいずれか１項に記載の制水機能を付与した発泡合成樹脂容器を内容とする。
【００２７】
本発明の請求項１７は、止水栓が中空の筒状体を展折させることにより形成させることを特徴とする請求項１、２、４、５、７のいずれか１項に記載の制水機能を付与した発泡合成樹脂容器を内容とする。
【００２８】
本発明の請求項１８は、水封排水の止水栓が中空の筒状体の容器内部の開口部と容器外部の開口部の底面からの高さレベル差により構成されることを特徴とする請求項１、３、４、５、７、１５、１７のいずれか１項に記載の制水機能を付与した発泡合成樹脂容器を内容とする。
【００２９】
本発明の請求項１９は、止水栓の制水操作が容器本体の積荷状態で容器本体の外周側面から行うことを特徴とする請求項１〜１８のいずれか１項に記載の制水機能を付与した発泡合成樹脂容器を内容とする。
【００３０】
本発明の請求項２０は、止水栓の摺動部や止水栓取付穴の内接面に漏水防止用の凹凸を設けたことを特徴とする請求項１〜１９のいずれか１項に記載の制水機能を付与した発泡合成樹脂容器を内容とする。
【００３１】
本発明の請求項２１は、止水栓の摺動部に漏水防止剤を塗布することを特徴とする請求項１〜２０のいずれか１項に記載の制水機能を付与した発泡合成樹脂容器を内容とする。
【００３２】
本発明の請求項２２は、発泡体にて形成された容器本体と上部を容器本体の外周面に連通開口させた吸引口と下方を容器本体の内底面の排水溜り部に連通する構造で容器本体の側壁を貫通して形成される中空穴、又は、中空の筒状体を容器本体の側壁内面に立設保持して形成される中空穴によってなされることを特徴とする制水機能を付与した発泡合成樹脂容器を内容とする。
【００３３】
本発明の請求項２３は、容器本体の上部に少なくとも一個の空気注入口を設け強制排水を行うことを特徴とする請求項１〜２２のいずれか１項に記載の制水機能を付与した発泡合成樹脂容器を内容とする。
【００３４】
【発明の実施の形態】
本発明は発泡合成樹脂容器の外側面に突起部が無く、輸送上の才数容積の増加や輸送コストの増加を招かず、制水操作は積段、積荷状態で容器の外周面から行うことが可能な止水栓を設けることで容器内に発生する溶解水や汚水や廃液等を流通上の必要時に通常排水や水封排水や止水させることを特徴とする。
【００３５】
又、本発明は、従来金型や従来構造で成型されている容器であっても新規金型の起型が不要で、従来の金型の平易な金型改造により本発明の容器構造に改造・提供することができる長所を有する。
【００３６】
本発明の発泡合成樹脂容器の材料は、発泡スチロールや発泡ポリエチレンや発泡ポリプロピレンや発泡ポリウレタン等、発泡合成樹脂容器が成形可能な合成樹脂を指すが断熱性や保温性を必要としない低倍発泡合成樹脂容器や射出成形で成型される合成樹脂容器であって容器内の排水、廃液を任意な時期に通常排水、水封排水、止水したい場合に本発明の制水機能や制水構造を付与することも可能でこれらは本発明に属する。主たる用途は生鮮魚介類や野菜や花卉類等の鮮度保持輸送容器や漬物や加工食品等の加工兼輸送容器や宅配便や夕食材等の通い箱やレジャーボックス等、発泡合成樹脂単材料で形成された容器や発泡合成樹脂容器の内面や外面にシート材を一体化させた表皮つき容器であっても本発明の目的が発揮される容器であれば特に限定するものではない。
【００３７】
止水栓とは、一般的に止水栓インナーと止水栓アウターケース等で形成されるものの呼称であるが、本発明では、説明の便宜上、止水栓取付穴が止水栓アウターケースを兼ねる止水栓取付穴に止水栓インナーを嵌挿し形成される止水栓構造や止水栓取付穴と中空の筒状体の止水栓インナーで構成される止水栓構造や止水栓取付穴に止水栓アウターケースと止水栓インナーで形成する止水栓を嵌挿し構成される止水栓構造等の総称として、又、止水栓インナー単体や気密Ｏリングを伴ったものや止水栓インナーが中空の筒状体である等の止水栓インナーを指し止水栓の呼称で記載する場合がある。
【００３８】
本発明の止水栓の一形態としては、止水栓取付穴が止水栓アウターケースを兼ねる止水栓取付穴に止水栓インナーを嵌挿保持固定することにより低コストの通常排水構造の止水栓が形成される。又、この止水栓取付穴と水封構造の止水栓インナーの組合せによって水封排水構造の止水栓が形成される。
【００３９】
本構成では、止水栓取付穴を形成する発泡体の弾性力及び／又は止水栓取付穴を形成するアンダーカット構造に止水栓を嵌挿保持固定されることによってなされ気密パッキンやＯリングの併用も可能で止水栓は止水栓取付穴に高い気密度で装着され漏水することは無い。また、漏水防止と止水栓制水操作をスムースとするため、滑性のある漏水防止剤を塗布すると耐久性や操作性が優れる。漏水防止剤は食品容器の場合は食品衛生取扱法に規定された液状パラフインやバター等の食油等、撥水性と滑性があるものであれば特に限定しない。又、止水栓と止水栓取付穴の密着性と漏水防止性を向上させるために止水栓インナー外周や止水栓取付穴内面に凹凸やシボ模様を付加することも適宜選択される。
【００４０】
止水栓取付穴と止水栓インナーの相互の嵌挿形状や取付寸法関係は、合成樹脂材料や発泡倍率や発泡体の弾性力とアンダーカット形状や嵌挿構造から適宜選択され実質的に漏水せず制水操作に支障が無い状態が維持されるものであれば特に限定しないが少なくとも止水栓取付穴寸法と止水栓外形寸法は同等寸法以上の強制嵌合状態が確保されるものが望ましい。アンダーカット構造とは成形離型方向に対し離型を阻害する凹凸や逆テ―パーを付すことであるが発泡体の弾性力や復元力を利用し成形離型させるのである。射出成形ではアンダーカット成形駒に拡張収縮機構を付与することでアンダーカット構造は形成される。
【００４１】
又、止水栓が止水栓インナーと止水栓アウターケースで構成されるときは、止水栓取付穴と止水栓アウターケースとの取り付けは発泡体の弾性力とアンダーカット形状の嵌挿関係に加えて発泡合成樹脂にアタックしない接着剤を併用してもよい。
【００４２】
止水栓の材料は特に限定しないが合成樹脂製のものが望ましく、容器のリサイクル性からは容器の材質と同等の樹脂を用いることが望ましい。また、コストから、容器と同一材料のリサイクル樹脂が望ましい。止水栓インナーに弾性力が付加されることは気密固定性や漏水防止性から望ましく容器材料と同等の発泡樹脂やゴム弾性のある材料が採用できる。発泡合成樹脂容器は通常はワンウエイの使い捨て容器として使用されるため低コストニーズが高く流通実態と合わせ止水栓の性能とコストのバランスから適正で安価なものが選定される。
【００４３】
本発明の制水機能や制水操作とは、容器内の氷の溶解水や汚水や廃液等を流通上の任意な時期に容器に設けた止水栓の開閉操作で容器外に排出させたり止水したりする機能及び操作を指す。
【００４４】
排水には、止水栓を開放、開口し排水させる通常排水と、排水時に冷気流出や外気流入を防止するため排水口に連通する排水溜り部の排水中に冷気遮断用の水封堰を水没させ排水だけを排出させる水封排水と、止水栓からの排水を加速させるため容器に設けた空気吹込み穴から加圧空気を注入する加圧排水や容器に設けた排水溜り部に連通された吸引穴から吸引し行う吸引排水がある。止水には、止水栓を閉操作する方法以外では吸引排水を中止することで行われる。
【００４５】
本発明における制水操作は、主として、通常の排水機能と止水機能を組合せたものと水封排水機能と止水機能を組合せた止水栓構造のものを選択することで行われ適宜加圧排水が付加されたり吸引排水が採用される。
【００４６】
また、止水栓取付穴を容器に付形成型させ止水栓を嵌挿しない場合は止水栓取付穴を排水開口部として使用する従来型容器として供給できる利点があり、同一容器であっても通常の排水機能と止水機能を持った止水栓や、水封排水機能と止水機能を持った止水栓と、従来型排水穴の容器が共通化できため客先や市場ニーズや供給コストによって適宜選択し供給することも可能である。従来型容器と止水栓取付穴を付形した容器の成形コストは全く同等で容器の選択肢が増える長所を有する。又、漁港等の生産地では、止水栓は通常排水や水封排水としておき、出荷時点で止水操作をし、着荷後は排水を継続させたり止水させる等実情に応じ実施される。
【００４７】
従来の止水栓は止水栓インナーと止水栓アウターケースで構成され、さらに止水栓操作レバーが付加されたものがあり従来の止水栓付容器の高コスト要因の一つとなっている。本発明の止水栓は、止水栓取付穴を止水栓アウターケースと兼用させるため止水栓アウターケースが不要で止水栓インナーを止水栓取付穴に嵌挿するだけで低コストの止水栓構造が形成できる。
【００４８】
又、この止水栓取付穴と止水栓インナーの構成で止水栓取付穴を傾斜させたり止水栓取付穴の一部を堰構造とすることにより水封排水の止水栓が形成できる。又、クーラーボックス等の耐久性が求められる容器では止水栓インナーと止水栓アウターケースで構成される止水栓も可能でこの構成においても止水栓取付穴のアンダーカット構造や発泡体の弾性力を利用した取付構造とすることが望ましい。
【００４９】
止水栓の構造は、容器本体の肉厚や排水方向や排水方式（通常排水や水封排水）や止水栓取付穴との構成関係等により様々な止水栓構造や形状があり容器の用途や肉厚やコスト等から適宜設計採用される。主たる止水栓構造としては水平構造や垂直構造や球体構造やネジ構造や盲栓着脱構造や中空の筒状体の展折構造等が可能で竪穴排水穴に接続して設ける構造のものもある。
【００５０】
止水栓の数は１箇所以上あればよく特に限定しないが、汚水や汚物の発生が多い魚介類用や野菜花卉等の容器では、汚物が排水経路を閉止することがあるため安全上２個以上設けることが望ましい。又、効率的な排水を行うために容器底面に排水溝に向けて流れ勾配や導水溝を設けると鮮度保持面でも望ましい。
【００５１】
止水栓取付穴の形成は、止水栓取付穴が容器本体の底壁面を内底面から外底面に貫通させて形成されることによってなされる場合は容器成型用金型のキャビティ金型の容器底面に止水栓インナーの外形と概類似のアンダーカット構造や逆テーパー等の成形駒を取り付け発泡樹脂の特性である発泡体の弾性力と発泡体が成形離型時に成形余熱で高い柔軟性と復元性を有している間にシリンダー機構を用いることなく容器の底壁面に１軸方向や２軸方向のアンダーカット形状の止水栓取付穴を形成させるのである。
【００５２】
本構成により形成される止水栓取付穴は成形離型方向に対してアンダーカット構造と容器外周方向に対してもアンダーカット構造の２軸方向のアンダーカット構造の形成が可能で止水栓には２軸方向の保持固定力が働き止水栓の嵌挿取付は容器底面方向又は容器側壁面方向から行い接着剤を用いなくても脱落したり漏水することは無い。又、本金型構造で成型するため成形取数が減じたり成形サイクルが長くなる等の成形上の欠点は発生しないのである。
【００５３】
止水栓取付穴が、容器本体の外側壁面の下部を容器内部から容器外側面に貫通さて形成されることによってなされる場合は、成形金型のキャビティ金型側面から止水栓を往復駆動させ発泡樹脂の特性である発泡体の弾性力と発泡体が成形余熱で高い柔軟性と復元性を有している間の成形離型時を利用してシリンダーの離型方向にアンダーカット構造の止水栓取付穴を成型させる。
【００５４】
外側壁面に複数の止水栓を設けたい場合はキャビティ金型の側面側にシリンダーを集中させることで成形取数の低下は防止でき、多数個取り金型で容器の対向位置にも止水栓を設けたい時は、容器の底壁面にアンダーカット構造の止水栓取付穴を設ける構造のものと組み合わせることで成形取数の低下は防止できる。
【００５５】
止水栓取付穴が容器本体の外側壁面を縦断して形成される竪穴排水口と連通させる構造によってなされる場合は、容器成型用金型のキャビティ金型の容器底面に竪穴排水口と容器内部底面とを連通させる位置に止水栓インナーの外形と概類似のアンダーカット構造の成形駒を取り付けることによりなされる。通常、魚箱の竪穴排水口は容器のコーナー部に設けられる場合が多く止水栓取付方向はコーナー部を２側面方向に横断する形状で形成させることができこの場合は止水栓の操作は２側面から行うことが可能となる。又、角部から容器の中心に向かって形成させ角部から制水操作を行うこともできる。
【００５６】
従来の容器側壁を貫通させる止水栓の取付は、通常、止水栓アウターケースと止水栓取付穴を接着剤で固定したりネジ構造で側壁面を挟持固定し行われる。本発明の容器側壁を貫通させる止水栓構造は止水栓取付穴を止水栓アウターケースとする場合も止水栓アウアターケース付の止水栓を採用する場合も止水栓取付穴を形成する発泡体の弾性力及び／又は止水栓取付穴を形成するアンダーカット構造に止水栓を嵌挿させることで保持固定させるように構成される。
【００５７】
強制排水用の圧力空気吹込み口は、通常の保冷輸送中は保冷性に影響を与えない細孔が望ましく容器の蓋と容器本体の噛合せ部に沿って形成させると空気抵抗が増し保冷性が確保され積荷状態でも外周面から強制排水操作できるので望ましい。圧力空気吹込み口の寸法は外形１ｍｍ〜５ｍｍ程度のものが目的を達するので望ましいが特に限定しない。
【００５８】
吸引排水用の中空の筒状体に接続される吸引排水口は吸引排水用の中空の筒状体の内径と同等程度のものが望ましく内径は３ｍｍ〜７ｍｍ程度のものが操作上望ましい。吸引排水口は容器の蓋の天面に開口させるものや容器の蓋と容器本体の噛合せ部に沿って形成させると保冷性は確保され積荷状態でも外周面から吸引排水操作ができるので望ましい。吸引操作はバキュームポンプや真空ポンプに接続されたホースにより実施される。又、圧力空気吹込み口から空気を押し込み吸引排水口から排水する方法も可能で状況に応じ望ましい方法が採用される。
【００５９】
【実施例】
以下、本発明を発泡スチロール魚箱の実施例に基づいてさらに詳細に説明するが、これらは本発明を何ら制限するものではない。
【００６０】
実施例１
図１は、本発明の実施例を示す概略図で、２軸開口止水栓取付穴３Ａが容器本体１の底壁面を内底面から外底面に貫通させて形成され、それぞれに２軸開口止水栓取付穴３Ａを止水栓アウターケースとする水平構造の通常排水の止水栓１０が嵌挿保持固定されている。２軸開口止水栓取付穴３Ａは底面と側面の２軸方向に開口しそれぞれ２軸方向にアンダーカット構造８を形成させている。止水栓１０の嵌挿は底面、底面の２軸方向から行うことができる。又、本２軸開口止水栓取付穴３Ａと概同形の断面構造で止水栓アウターケース付の止水栓を嵌挿装着することもできる。
【００６１】
左側断面図（ａ）は排水口２と止水栓排水溝１０Ｂが連結された排水状態を表し、右側断面図（ｃ）は漏水を遮断する方向のアンダーカット部８にＯリング２５を付した止水栓１０を配し奥面に防水パッキン２６を付した構造の止水状態を表した。正面図（ｂ）は止水状態の止水栓１０が底面方向のアンダーカット構造８を持つ止水栓取付穴３に保持固定されている正面取付状態を表している。
【００６２】
２軸開口止水栓取付穴３Ａと止水栓１０の取り付け寸法は、止水栓１０の外径１８ｍｍに対し止水栓取付穴内径１７．６ｍｍで弾性保持力を付加し、下方に開放したアンダーカット部８の正面開口幅は１３．５ｍｍ、水平軸上に形成された円皿凹状のアンダーカット部８の最外周径は２１．５ｍｍで止水栓側凸状突起は２２ｍｍで保持固定させる。止水栓１０と止水栓取付穴３Ａの最奥側の密着性を確保するため止水栓取付穴の円皿凹状のアンダーカット部８の奥行成形寸法より止水栓凸状突起１０ｃの奥行寸法を大寸法とし押圧させる。
【００６３】
このように止水栓１０は２軸開口止水栓取付穴３Ａより全体寸法を同等又は大寸法としているので相互の嵌挿部から漏水することはなく止水栓１０を左右に回転させ制水操作を行うときは弾性力で保持されているためスムースに摺動する。制水操作は容器側面から操作溝１０Ａをドライバー等で開閉操作され本構成では９０度の反転で排水、止水ができ必要に応じて容器側面に開閉方向を表示する。止水栓取付穴３Ａの成形は容器金型のキャビティ金型に一方を容器側面に開口する止水栓１０と概同形状の成形駒でアンダーカット構造の成形としているため成形取数の低下も成形サイクルの低下もしない安価な容器が提供できる。又、容器本体１と蓋１Ａとの噛合せ部に沿って双方に外形２ｍｍの半円形の空気注入口２０を設け空気圧による強制排水を可能としている。
【００６４】
実施例２
図２は、本実施例の概略図で（ａ）図は図１（ａ）に示す止水栓１０の立体断面図で操作溝１０Ａや排水溝１０Ｂや固定凸部１０Ｃの構造例を表している。（ｂ）図はＯリング付水平型止水栓１１の中心に排水溝１１Ｂの中空穴を配している構造例を表している。これらの止水栓インナー１０、１１は各々止水栓アウターケースを兼ねる止水栓取付穴３Ａに嵌挿固定されることにより止水栓は形成されるのである。
【００６５】
実施例３
図３は、本実施例の概略図で水平構造の止水栓１２の両端部を円弧状にし止水栓アウターケースを兼ねる２軸開口止水栓取付穴３Ａに嵌挿保持させている通常排水の構造例である。本構成では止水栓１２の水平軸方向には保持用の凸部は不要で止水栓１２の両端を容器側のアンダーカット構造８で挟持させている。排水方向は容器の下方向とした例である。制水操作は操作溝１２Ａにて行う。
【００６６】
実施例４
図４は、本実施例の概略図で図１の別の対応を示す図で右断面図（ｂ）は排水予備穴２Ｂを設け排水口２が貫通していない状態の容器で成形されている。左断面図（ａ）は用途や仕向け地によって排水予備穴２Ｂの底を切り欠き排水口２とし止水栓１０を取り付けることができる構造例を示している。又、排水予備穴２Ｂの底を切り欠き排水口２とし従来型魚箱とすることもできる。このように同一形状の容器であっても流通実態に合わせ排水口無の魚箱と通常排水機能と止水機能を付与した魚箱等が市場相場や季節により選択できるのである。
【００６７】
実施例５
図５は、本実施例の概略図で、容器側壁に水平構造の止水栓１３を止水栓アウターケースとする壁面止水栓取付穴３Ｂに取り付けた例である。嵌挿寸法は壁面止水栓取付穴３Ｂより止水栓１３を同等又は大寸法とすることで保持固定と漏水対策としている。容器側壁の排水口２と壁面止水栓排水穴３Ｂを偏芯させることで止水、排水を可能としている。成形はアンダーカット成形駒をシリンダーの往復駆動により行う。止水栓１３を止水栓アウターケース付の止水栓とすることも可能でこの場合もアンダーカット部８は漏水対策と保持固定の手段となる。
【００６８】
また、止水栓１３の外周形状は全体を逆テーパーとしてアンダーカット部８を省略することも併用することも適宜選択される。制水操作は１３Ａの溝をドライバー等で左右回転させ行う。排水口２を貫通させずに薄肉を形成させ排水穴なし容器として成型し止水栓が必要なときには排水口２の薄肉部を貫通させ止水栓付容器とすることも選択できる。
【００６９】
実施例６
図６は、本実施例の概略図で、容器底壁面に垂直構造の止水栓１４を止水栓アターケースを兼ねる垂直型止水栓取付穴３Ｃに取り付けた例である。嵌挿寸法は止水栓１４の外形を止水栓取付穴３Ｂより同等又は大寸法としアンダーカット部８を設け保持固定と漏水対策としている。容器底面の排水口２と止水栓排水穴１３Ｂを偏芯させることで止水、排水を可能としている。成形はキャビティ金型にアンダーカットの成形駒を設けることで行う。嵌挿は容器下方から行い下方に排水させるが側面への排水も排水穴１４Ｂを折り曲げることで可能となる。制水操作は容器側面から１４Ａをレバーにて左右回転させる例を示した。
【００７０】
実施例７
図７は、本実施例の概略図で、容器底壁面に球状体構造の止水栓１５を止水栓アウターケースを兼ねる球状止水栓取付穴３Ｄに取り付けた例である。嵌挿寸法は止水栓取付穴３Ｄより同等又は大寸法とし球体下方をアンダーカット部８として保持固定と漏水対策としている。容器底面の排水口２と止水栓排水穴１５Ｂを偏芯回転させることで止水、排水を行う。成形はキャビティ金型にアンダーカットの成形駒を設けることで行う。嵌挿は容器下方から行い下方に排水させるが側面への排水も排水穴１５Ｂを折り曲げることで可能となる。制水操作は容器側面から回転させ行い取手１５Ａは必須ではない。
【００７１】
実施例８
図８は、本実施例の概略図で水平構造の盲栓着脱式止水栓１６を止水栓アウターケースを兼ねる着脱止水栓取付穴３Ｅに取り付けた例である。排水操作は盲止水栓インナー１６Ａの着脱により行う。防水はアンダーカット部８と凸状部１６Ｃの嵌挿で行われる。又、着脱式止水栓１６の外周をネジ構造としネジの下穴径とした着脱止水栓取付穴３Ｅの内面を雌ネジ代替としネジ式の着脱式止水栓１６のネジ回転で前後着脱することもできる。（図示せず）
【００７２】
実施例９
図９は、本実施例の概略図で、２軸開口止水栓取付穴３Ａに止水栓アウターケース１９Ｅ付のネジ式止水栓１９を嵌挿した例示である。止水栓アウターケース１９Ｅはアンダーカット部８を持つ２軸開口止水栓取付穴３Ａに強制嵌挿されるため漏水せず排水口２と排水穴１９Ｂの連結の有無で止水や排水がなされる例である。
【００７３】
実施例１０
図１０は、本実施例の概略図で、水封排水止水栓取付穴３Ｈに水平型水封排水止水栓１８が嵌挿され構成される。排水口２から流入した排水は排水溜り部９に溜りこの中に水平型水封排水止水栓１８の水封堰９が水没することで排水溝１８Ｂの水平下面以下は排水されず水封排水が構成される。その効果で排水口１８Ｂから冷気の流出や外気の流入はない。水封排水止水栓取付穴３Ｈと水平型水封排水止水栓１８の防水と嵌挿はアンダーカット部８とＯリング２５によってなされる。かくして水平型水封排水止水栓１８は水封排水機能と止水機能が発揮できるのである。止水栓１８の奥面の防水に防水パッキン２６を配した。水平型水封排水止水栓１８は例えば本図の断面形状で２分割したものをＯリングで一体化させることで容易に形成される。
【００７４】
実施例１１
図１１は、本実施例の概略図で、請求項６に記載の実施例の概略図で竪穴排水口２Ａと容器内とを連結する構造で竪穴排水止水栓取付穴３Ｉを形成し竪穴排水止水栓１７を嵌挿保持させた。排水は容器内の排水と上部の容器の排水が竪穴から流入し本容器の排水と合流し竪穴排水止水栓取付穴３Ｉで集合され下方に排水される。排水、止水は操作溝１７Ａで行われる。この構成で水封型竪穴排水止水栓を用いることで水封式竪穴排水構造の容器が構成される。（図示せず）
【００７５】
実施例１２
図１２は、請求項１７の実施例の概略図で止水栓２０が中空の筒状体を展折させることにより形成させる止水栓構造を示している。排水口２に接続させた中空の展折自在の筒状体２０を容器本体１の底面と壁面に形成させたアンダーカット構造の中空体止水栓取付穴３Ｆに保持固定させた。排水時は中空筒状体の止水栓２０を下方に展開し容器内の排水を排出し止水は元に復元することでなされる。本構成は安価な市販の蛇腹付ストローの改良により実施できる。排水口２との漏水防止は弾性力や接着剤で接続されればよい。
【００７６】
実施例１３
図１３は、請求項１８の実施例の概略図で止水栓２１が中空の筒状体であって、容器外側の中空体水封止水栓２１の開口部を開放することで水封排水され、開口部を閉止することで止水する構造である。容器内の排水口２に接続され容器外側に容器内の排水面より上に開口させこの落差で水封排水構造を形成させるのである。容器側面に止水栓２１の開口部を開口状態で保持する保持溝２１Ａと中空体水封止水栓２１の開口部を閉口状態で保持する保持溝２１ＢをＶ型に設け、それぞれの取付溝２１Ａ、２１Ｂの装着位置で水封排水と止水が形成される。保持溝２１Ａと２１Ｂはアンダーカット構造で水封式止水栓２１を保持固定する。中空の筒状体としては市販の展折自在のストローを改良することでもなされる。
【００７７】
実施例１４
図１４は、請求項２２の実施例の概略図で、発泡体にて形成された容器本体と上部を容器本体の外周面に連通開口した吸引口３１と下方を容器本体の内底面に連通して設けられる容器本体の側壁を貫通して形成される中空穴２２Ａを表す図（ａ）と中空の筒状体を容器本体の側壁面に立設して形成させた中空穴２２Ｂを表す図（ｂ）である。
【００７８】
本構造は容器本体外周面に連通した吸引口３１から吸引排水することで排水させる方法と空気注入口３０から圧縮空気を圧入し吸引口３１から排水させる方法で行われる。図（ａ）の構造は排水溜り部５と中空穴２２Ａを連通する柔軟性のある成形駒を中空穴成形用ロットピンの先端に仕込み成形駒の進退で成型させる。図（ｂ）の構造は、市販のストロー等の中空の筒状体である中空穴２２Ｂの下端を排水溜り部５に浸漬させ容器内壁に中空体２２Ｂを保持固定するアンダーカット構造の係止溝を設け嵌挿保持させる。
【００７９】
【発明の効果】
叙上のとおり、本発明によれば、合成樹脂容器に生産地から店頭完売に至る流通実態に即し任意に通常排水や水封排水や止水ができる制水機能のある止水栓を発泡体の弾性力及び／又は止水栓取付穴を形成するアンダーカット構造で保持固定させるという極めてシンプルな構成により従来の止水栓付容器に比し容器成形コストも止水栓コストも止水栓装着コストも大幅なコストダウンが可能で容器内の溶解水や汚水や汚物を常時所かまわず垂れ流している通常排水や水封排水や竪穴排水魚箱等の容器が抱えている鮮度保持や衛生美観面やマテハン性や氷の過剰溶解の不経済性等の課題が確実に解決されるのである。
【００８０】
又、従来の止水栓付容器の用途では高コストや側壁からの止水栓の突出等の課題で採用が限定されてきたが、本発明の容器構造とすることにより、安価な手提げ土産箱やクーラーボックスや宅配便や夕食材通容器や秋刀魚や鰹等の水氷詰輸送箱の用途にも広く採用できるのである。又、本発明の止水栓と空気圧入口や吸引口を利用して活魚輸送箱を流通途上で海水を入れ替え遠隔地輸送を可能としたり、野菜や花卉類の真空予冷用の吸引口としても冷気置換やガス置換容器としても活用することができるのである。
【００８１】
又、現在成形中の従来型の魚箱等の容器であっても新規金型を起型する必要は無く軽微な金型改造で本発明の制水機能を付与した容器に容易に且つ安価で改造できる利点がある。又、同じ形状の止水栓取付穴で成型された魚箱が産地や市場相場や魚種等の流通実態に合わせ、通常排水と止水を組合せた止水栓や、水封排水と止水を組合せた止水栓が選択でき、更に止水栓取付穴に止水栓を取り付けない場合は通常排水型容器としてそのまま供給することもでき、相場に左右されやすい安価で大量鮮度保持輸送を旨とする鮮度保持輸送容器としてその有用性は頗る大である。
【００８２】
更に又、止水栓取付穴を止水栓アウターケースとして止水栓インナーを嵌挿し構成する等の本発明の止水栓構造は発泡合成樹脂容器以外では射出成形されるポリエチレンやポリプロピレンや塩ビ等の合成樹脂容器にも適用される。この場合、容器本体を形成する発泡体の弾性力及び／又は当該止水栓取付穴を形成するアンダーカット構造を構成する嵌挿寸法やアンダーカット形状寸法は実質的に漏水や漏液しない状態が確保されればよく適用容器構造や適用樹脂の性状や用途等から適宜決定される。如かして、本発明は、発泡合成樹脂容器や射出成形樹脂容器に広く適用できるのである。
【図面の簡単な説明】
【図１】（ａ）、（ｂ）、（ｃ）は本発明の制水機能を付与した発泡合成樹脂容器構造の１例を示す概略図である。
【図２】本発明の制水機能を付与した発泡合成樹脂容器構造の他の例を示す概略図である。
【図３】本発明の制水機能を付与した発泡合成樹脂容器構造の他の例を示す概略図である。
【図４】本発明の制水機能を付与した発泡合成樹脂容器構造の他の例を示す概略図である。
【図５】本発明の制水機能を付与した発泡合成樹脂容器構造の他の例を示す概略図である。
【図６】本発明の制水機能を付与した合成樹脂容器構造の他の例を示す概略図である。
【図７】本発明の制水機能を付与した発泡合成樹脂容器構造の他の例を示す概略図である。
【図８】本発明の制水機能を付与した発泡合成樹脂容器構造の他の例を示す概略図である。
【図９】本発明の制水機能を付与した発泡合成樹脂容器構造の他の例を示す概略図である。
【図１０】本発明の制水機能を付与した発泡合成樹脂容器構造の他の例を示す概略図である。
【図１１】本発明の制水機能を付与した発泡合成樹脂容器構造の他の例を示す概略図である。
【図１２】本発明の制水機能を付与した発泡合成樹脂容器構造の他の例を示す概略図である。
【図１３】本発明の制水機能を付与した発泡合成樹脂容器構造の他の例を示す概略図である。
【図１４】本発明の制水機能を付与した発泡合成樹脂容器構造の他の例を示す概略図である。
【図１５】従来型の発泡合成樹脂容器の構造を示す概略図である。
【図１６】従来型の発泡合成樹脂容器の構造の他の例を示す概略図である。
【図１７】従来型の発泡合成樹脂容器の構造の他の例を示す概略図である。
【符号の説明】
１　容器本体
１Ａ　容器蓋
２　排水口
２Ａ　竪穴排水口
２Ｂ　排水予備口
３　止水栓取付穴
３Ａ　２軸開口止水栓取付穴
３Ｂ　壁面止水栓取付穴
３Ｃ　垂直型止水栓取付穴
３Ｄ　球状止水栓取付穴
３Ｅ　着脱止水栓取付穴
３Ｆ　中空体止水栓取付穴
３Ｇ　中空体水封排水止水栓取付穴
３Ｉ　竪穴排水止水栓取付穴
４　排水
５　排水溜り部
６　氷
７　水氷輸送袋
８　アンダーカット部
９　水封堰
１０、１０Ａ、１０Ｂ、１０Ｃ　水平型止水栓
１１、１１Ａ、１１Ｂ、１１Ｃ　Ｏリング付水平型止水栓
１２、１２Ａ、１２Ｂ、１２Ｃ、筒型水平型止水栓
１３、１３Ａ、１３Ｂ、１３Ｃ　壁用水平型止水栓
１４、１４Ａ、１４Ｂ、１４Ｃ　垂直型止水栓
１５、１５Ａ、１５Ｂ、１５Ｃ　球状型止水栓
１６、１６Ａ、１５Ｃ　着脱式止水栓
１７、１７Ａ、１７Ｂ、１７Ｃ　竪穴排水止水栓
１８、１８Ａ、１８Ｂ、１８Ｃ　水平型水封式止水栓
１９、１９Ａ、１９Ｂ、１９Ｃ、１９Ｅ　アウターケース付止水栓
２０
２１、２１Ａ、２１Ｂ　中空体水封止水栓
２２Ａ
２２Ｂ
２５　Ｏリング
２６　防水パッキン
３０　空気注入口
３１　吸引口
【図１】
2004042983.tif 000003
【図２】
2004042983.tif 000004
【図３】
2004042983.tif 000005
【図４】
2004042983.tif 000006
【図５】
2004042983.tif 000007
【図６】
2004042983.tif 000008
【図７】
2004042983.tif 000009
【図８】
2004042983.tif 000010
【図９】
2004042983.tif 000011
【図１０】
2004042983.tif 000012
【図１１】
2004042983.tif 000013
【図１２】
2004042983.tif 000014
【図１３】
2004042983.tif 000015
【図１４】
2004042983.tif 000016
【図１５】
2004042983.tif 000017
【図１６】
2004042983.tif 000018
【図１７】
2004042983.tif 000019